(57)【要約】本発明は、蒸気ストリッピング工程、及び異なるｐＨ及び温度条件における２工程の次亜塩素酸塩を用いる無機物化を伴う、エポキシ化合物の製造から得られる消耗したブラインの有機物質含量を減少させる方法に関する。【選択図】なし【特許請求の範囲】
【請求項１】
新たなブラインが供給されるクロルアルカリ電気分解ユニットの生成物を用いて有機原材料を酸化することによってエポキシ化合物を合成するプラントにおける消耗したブラインから構成される廃棄流の有機物質含量を減少させる方法であって、次の：
（ａ）水流を、処理する消耗したブライン中に注入して蒸気ストリッピングを行い；
（ｂ）次亜塩素酸塩を用いてｐＨ３．５〜５及び５０〜６０℃の温度において予備酸化し；
（ｃ）次亜塩素酸塩の存在下において、ｐＨ３〜４及び８０〜９５℃の温度において最終酸化を行って新たなブラインを得る；
逐次工程を含む上記方法。
【請求項２】
消耗したブラインが、工程（ａ）の入口において１０，０００ｍｇ／Ｌの酸素より高く、工程（ａ）の出口において２，０００〜４，０００ｍｇ／Ｌの酸素のＣＯＤを有する、請求項１に記載の方法。
【請求項３】
蒸気ストリッピング工程を３〜４の間に調節したｐＨにおいて行う、請求項１又は２に記載の方法。
【請求項４】
消耗したブラインが、工程（ｂ）の出口において４００〜１，５００ｍｇ／Ｌの酸素のＣＯＤを有する、請求項１〜３のいずれかに記載の方法。
【請求項５】
工程（ｃ）の出口における新たなブラインが４０ｍｇ／Ｌの酸素以下のＣＯＤを有する、請求項１〜４のいずれかに記載の方法。
【請求項６】
有機原材料が、プロピレン、塩化アリル、及びグリセリンからなる群から選択され、エポキシ化合物がプロピレンオキシド又はエピクロロヒドリンである、請求項１〜５のいずれかに記載の方法。
【請求項７】
次亜塩素酸塩を用いる予備酸化工程を、塩素及びアルカリを供給することによって行う、請求項１〜６のいずれかに記載の方法。
【請求項８】
次亜塩素酸塩を用いる予備酸化工程を非分割タイプの電気分解セル内で行う、請求項１〜６のいずれかに記載の方法。
【請求項９】
最終酸化工程を電気分解セル内で行う、請求項１〜８のいずれかに記載の方法。
【請求項１０】
電気分解セルが非分割タイプのアルカリブライン電気分解セルである、請求項９に記載の方法。
【請求項１１】
最終酸化工程を、フッ素化ポリマー繊維を含む非アスベスト隔膜セパレーターを装備した電気分解セルから構成される、新たなブラインが供給されるクロルアルカリ電気分解ユニット内で直接行う、請求項９に記載の方法。
【請求項１２】
続いて、次の：
（ｄ）活性炭上に吸収させることによって塩素化副生成物の濃度を調節し；
（ｅ）酸性範囲に調節したｐＨにおいて亜硫酸塩を注入することによって塩素酸塩の濃度を調節する；
同時又は逐次工程の１以上を行う、請求項１〜１１のいずれかに記載の方法。
【請求項１３】
新たなブラインが供給されるクロルアルカリ電気分解ユニット、消耗したブラインの蒸気ストリッピングユニット、次亜塩素酸塩を用いる予備酸化のユニットを含む、エポキシ化合物の合成プラント。
【請求項１４】
新たなブラインが供給されるクロルアルカリ電気分解ユニットが、フッ素化ポリマー繊維を含む非アスベスト隔膜セパレーターを装備した電気分解セルから構成される、請求項１３に記載のプラント。
【請求項１５】
塩素及び苛性ソーダが供給される反応器から構成される最終酸化ユニットを更に含み、新たなブラインが供給されるクロルアルカリ電気分解ユニットがメンブレンタイプの電気分解セルから構成される、請求項１３に記載のプラント。
【請求項１６】
予備酸化ユニットが非分割タイプの電気分解セルから構成される、請求項１３〜１５のいずれかに記載のプラント。
【発明の詳細な説明】
【技術分野】
【０００１】
本発明は、エポキシ化合物の工業合成におけるプロセス電解液を処理及び再生利用すること、並びに関連する製造プラントに関する。
【背景技術】
【０００２】
プロピレンオキシド及びエピクロロヒドリンのようなエポキシ化合物は、塗料、及び航空宇宙産業においてますます用いられている炭素繊維強化材料のような高機能のものを含む加工品のために用いられるエポキシ樹脂の製造における重要な成分である。
【０００３】
エポキシ化合物の製造プロセスは、不飽和有機化合物（式：ＣＨ２＝ＣＨ−Ｒ（式中、Ｒは一般にアルキル又はクロロアルキル基を表す）によって示される）の塩素及びアルカリ、例えば苛性ソーダとの反応を規定する下記に示すスキームに基づく。反応全体は、次亜塩素酸（ＨＣｌＯ）を生成させる第１工程、不飽和化合物の二重結合に次亜塩素酸を付加して対応するクロロヒドリン（ＣＨ２Ｃｌ−ＣＨ（ＯＨ）−Ｒとして示される）を形成する第２工程、及び苛性ソーダを用いてクロロヒドリンを転化させて、最終生成物（下記においてＣＨ２−（Ｏ）−ＣＨ−Ｒとして示し、これは構造式（Ｉ）によって表される）及び塩化ナトリウム（消耗したブライン（depleted brine））を形成する第３工程によって行う。
【０００４】
【化１】
2015520295.tif 000002
【０００５】
下記においては明確にエポキシ化合物合成セクションを塩素−苛性ソーダユニットに組合せるプラントに関して述べるが、同じ概念は他のクロルアルカリユニット（例えば塩素−苛性カリ電気分解セル）に適用されると理解される。
【０００６】
エポキシ化合物製造プラントの全体的な反応スキームを下記に報告する。
【０００７】
・塩素−苛性ソーダユニット：
【０００８】
【化２】
2015520295.tif 000003
【０００９】
・エポキシ化セクション
【００１０】
【化３】
2015520295.tif 000004
【００１１】
この反応スキームは、塩素と苛性ソーダを１：２のモル比で用いることを示す。
【００１２】
より関連性の高い工業プロセスは、式（Ｉ）（Ｒ＝ＣＨ３）によって表されるプロピレンオキシド、及び式（Ｉ）（Ｒ＝ＣＨ２Ｃｌ）によって表されるエピクロロヒドリンの製造に関し、ここでは用いる不飽和化合物はそれぞれプロピレン（ＣＨ２＝ＣＨ−ＣＨ３）及び塩化アリル（ＣＨ２Ｃｌ−ＣＨ＝ＣＨ２）である。
【００１３】
下記において示すように、エピクロロヒドリンはまた、その使いやすい値段における利用可能性が最近増加しているグリセロール：ＣＨ２（ＯＨ）−ＣＨ（ＯＨ）−ＣＨ２（ＯＨ）を用いることに基づく別のプロセスによって製造することもできる。このプロセスは、塩素と酸素を化合させて（combination）気体状の塩酸（ＨＣｌ）を形成し、グリセロールを塩酸と反応させてジクロロヒドリン（ＣＨ２Ｃｌ−ＣＨ（ＯＨ）−ＣＨ２Ｃｌ）を生成させ、そして最後に苛性ソーダを用いてジクロロヒドリンをエピクロロヒドリン及び消耗したブラインに転化させることによって与えられる３工程にまとめられる。
【００１４】
・塩素−苛性ソーダユニット：
【００１５】
【化４】
2015520295.tif 000005
【００１６】
・塩酸ガス製造ユニット：
【００１７】
【化５】
2015520295.tif 000006
【００１８】
・エポキシ化セクション：
【００１９】
【化６】
2015520295.tif 000007
【００２０】
この反応スキームは、塩素と苛性ソーダを１：１のモル比で用いることを示す。
【００２１】
塩素、水素、及び苛性ソーダは、エポキシ化合物製造プラントの上流に設置される隔膜又はメンブレンタイプの塩素−苛性ソーダユニットにおいて製造される。
【００２２】
エポキシ化合物を製造するための全てのプロセスにおいて、特にプロピレンオキシド及びエピクロロヒドリンの場合においては、消耗したブラインを上流のクロルアルカリユニットへ再循環することが重要であり、実際、本件の場合のように出口ブラインを外部の処理プラントに送ると、損失する塩化ナトリウムの量は中程度から大型の能力に関しては約１００，０００ｔ／年であり、これは必然的にプラントの操業に対して大きな経済的影響を与える。しかしながら、消耗したブラインの再循環は、残留有機化合物の含量（下記においては化学的酸素要求量：ＣＯＤで表す）を前もって減少させる場合にのみ実現可能である。かかる操作は、高い食塩含量のために、生物学的に行うことはどちらかというと困難である。更に、この処理は通常のあまり激しくないプロセスであるので、非常に大きい容積及び表面が必要であり、製造場所の通常の要求に合致させることは殆どできない。
【００２３】
特許出願ＵＳ−２０１００２１９３７２−Ａ１においては、異なる性質の少なくとも２種類の処理（その中には、一般的な電気化学的処理、例えば塩素及び苛性ソーダを用いる化学的酸化、及び結晶化が示される）を組み合わせることによって行う、エピクロロヒドリン製造に関する消耗したブラインのＣＯＤを減少させることが提供される。本発明者らは、実用的な観点から、後者の処理は示されるプロセスに有効に再循環することができる、即ち４０ｍｇ／Ｌの酸素を超えない最終ＣＯＤを有する出口ブラインを得るために重要であることを認めた。しかしながら、結晶化工程は時間がかかり且つ面倒であり、消耗したブラインから塩化ナトリウムの結晶を分離して母液を形成すること、清浄なブラインを得るために分離した結晶を再溶解すること、母液のパージに対してより多くの十分な結晶化を行うこと、及び関連する塩を再循環することが必要である。かかる工程を明細書において言及されている他の化学的及び電気化学的処理と組み合わせることによって、得られるブラインは有機物質含量の観点で許容できる品質を有するが、塩素酸塩（１ｇ／Ｌの桁の通常の濃度を有する）、及びかかる処理の当然の結果として形成される塩素化有機誘導体の濃度が高すぎる。ブライン中のかかる副生成物の濃度は、当該技術において公知の方法によって、例えば活性炭上に吸着させる（塩素化副生成物を減少させる）ことによって、及び亜硫酸塩を酸性雰囲気中で注入すること（塩素酸塩を減少させる）ことによって好適に調節しなければならない。ＵＳ−２０１００２１９３７２−Ａ１において示唆されている処理の組み合わせによってかかる副生成物の過度に高い値が与えられ、これにより関連する減少処理が非常に不利になる。
【先行技術文献】
【特許文献】
【００２４】
【特許文献１】ＵＳ−２０１００２１９３７２−Ａ１
【発明の概要】
【発明が解決しようとする課題】
【００２５】
したがって、操作の簡単さ、減少した寸法、及び妥当なコストを特徴とする、エポキシ化合物製造プラントにおける消耗したブラインを復活させる方法に対する必要性は明らかである。
【課題を解決するための手段】
【００２６】
本発明の種々の形態は添付の特許請求の範囲において示される。
【００２７】
一形態においては、本発明は、まず消耗したブラインを、場合によっては水流を注入して３〜４の間に調節したｐＨにおいて蒸気ストリッピングすることによって残留有機化合物の相当割合を除去し、次にｐＨ３．５〜５及び５０〜６０℃の温度において次亜塩素酸塩を用いて予備酸化することによって無機化（即ち転化させて二酸化炭素に分解）し、そしてｐＨ３〜４及び８０〜９５℃の温度において次亜塩素酸塩の存在下で最終酸化を行うことを含む、クロルアルカリ電気分解ユニットの生成物を用いて有機原材料を酸化することによるエポキシ化合物の製造において生じる消耗したブラインの有機物質含量を減少させる方法に関する。次亜塩素酸塩という用語は、ここで及び下記において、当業者に明らかなように関連するｐＨにおいて次亜塩素酸と平衡の塩形態の次亜塩素酸塩種を示すように用いる。特に、蒸気ストリッピング工程は、揮発性有機物質の全体をより高沸点のものの一部と一緒に排除するように用いられ、これによって引き続く酸化工程を大きく緩和し、特にかかる段階中における塩素化副生成物の形成を減少させる有利性を与えることができる。一態様においては、蒸気ストリッピングによって、通常の使用されたブラインのＣＯＤ（通常は１０，０００より高く、時には３０，０００ｍｇ／Ｌの酸素を超える）を、２，０００〜４，０００ｍｇ／Ｌの酸素の値に低下させることができる。このような残留量は、次亜塩素酸塩を用いる酸化処理にかけるのに好適であり、本発明者らは、かかる２工程の酸化を行う（即ち、僅かにより高いｐＨ及び低い温度において予備酸化を行い、次により低いｐＨ及びより高い温度において完全な酸化を行う）ことによって、塩素酸塩の形成を最小にし（通常の濃度は０．１ｇ／Ｌ以下の桁である）、且つ塩素化副生成物の形成を最小にする有利性が与えられる。実際、予備酸化によってＣＯＤを更に減少させることができる（一態様においては予備酸化工程の出口において８００〜１，５００ｍｇ／Ｌの酸素にすることができる）。一態様においては、予備酸化工程は、場合によっては同じクロルアルカリ電気分解ユニット内で生成した塩素及びアルカリ、例えば苛性ソーダを供給して、有機原材料を酸化するための反応物質を与えることによって行う。これにより、その場所に既に存在する薬剤を用いて予備酸化のために必要な次亜塩素酸塩が生成されるという有利性が与えられる。一態様においては、予備酸化工程は、次亜塩素酸塩の製造において通常用いられる非分割タイプのアルカリブライン電気分解セル内で行う。
【００２８】
最終酸化工程は、ｐＨ３〜４及び８０〜９５℃の温度において、次亜塩素酸塩の存在下で行う。かかるプロセス工程によって、一態様においては４０ｍｇ／Ｌの酸素以下のＣＯＤ、０．１ｇ／Ｌ以下の塩素酸塩濃度、及び塩素化副生成物の適度な含量を有することを特徴とする新たなブライン（fresh brine）が与えられる。２種類の副生成物の濃度は、場合によっては、ブラインをプラントに再循環する前に、活性炭上における吸収処理によって、及び酸性範囲に制御されたｐＨにおいて亜硫酸塩を注入することによって調節することができる。かかる操作は、従来技術のプロセスに関して含まれる非常に減少した量によって完全に実施可能になる。予備酸化の場合と同様に、一態様においては、最終酸化工程は、場合によっては同じクロルアルカリ電気分解ユニット内で生成する塩素及びアルカリ、例えば苛性ソーダを供給して、有機原材料を酸化するための反応物質を与えることによって行う。一態様においては、最終酸化工程は、新たなブラインが供給されるクロルアルカリ電気分解ユニット内で直接行うが、但し後者は隔膜セルから構成される。隔膜セルという用語は、本明細書においては、当業者に公知なように、フッ素化ポリマー繊維、及び場合によっては酸化ジルコニウムのような無機材料を含む非アスベストタイプの隔膜セパレーターを備える電気分解セルを意味するように用いる。実際、本発明者らは驚くべきことに、隔膜の半透性によって次亜塩素酸塩がアノード液自体の中で局所的に生成し、かかる次亜塩素酸塩は酸性雰囲気（ｐＨ３〜４）の観点で顕著な割合の次亜塩素酸を、残留有機物質の主要な部分をその場で酸化するような量で含むので、かかるブライン流は何の問題もなく隔膜セルのアノード液中に供給することができることを認めた。この解決法は、逆に、クロルアルカリ電気分解ユニットが異なるタイプのものである場合、例えばセパレーターとしてイオン交換膜を備えたセル（メンブレンセル）の場合には適用できない。実際、本発明による予備酸化工程において得られる数百ｍｇ／Ｌの酸素のＣＯＤを有するブラインを供給すると、やがてイオン交換膜及びアノードの重大な機能不全が引き起こされるであろう。したがって、この場合の最終酸化工程は、既に述べたようにセルの上流の別のユニット内において塩素及びアルカリを供給するか、又は更なる態様においては、次亜塩素酸塩の製造において通常用いられる非分割タイプのアルカリブライン電気分解セルから構成されるユニット内において行わなければならない。
【００２９】
他の形態においては、本発明は、新たなブラインが供給されるクロルアルカリ電気分解ユニット、消耗したブラインの蒸気ストリッピングユニット、次亜塩素酸塩を用いる予備酸化ユニットを含む、エポキシ化合物の合成プラントに関する。一態様においては、予備酸化ユニットは、次亜塩素酸塩の製造において通常用いられる非分割タイプのアルカリブライン電気分解セルから構成される。一態様においては、クロルアルカリ電気分解ユニットは、フッ素化ポリマー繊維を含む非アスベストタイプの隔膜セパレーターを装備した電気分解セルから構成される。１つの別の態様においては、このプラントは、塩素及び苛性ソーダが供給される反応器から構成される最終酸化ユニットを更に含み、クロルアルカリ電気分解ユニットはメンブレンタイプの電気分解セルから構成される。
【００３０】
ここで、添付の図面を参照して本発明を例示する幾つかの実施態様を記載するが、これらは本発明のかかる特定の実施態様に関する異なる構成要素の相互の配置を示すという目的のみを有するものであり、特に、図面は必ずしも一定縮尺で描かれてはいない。
【図面の簡単な説明】
【００３１】
【図１】図１は、消耗したブラインを外部処理プラントに送る、クロルアルカリ電気分解ユニットを含む従来技術によるプロピレンオキシドの製造のスキームを示す。
【図２】図２は、消耗したブラインを外部処理プラントに送る、クロルアルカリ電気分解ユニットを含む従来技術によるエピクロロヒドリンの製造のスキームを示す。
【図３】図３は、メンブレンクロルアルカリ電気分解ユニットを含む、本発明によるプロピレンオキシドの製造のスキームを示す。
【図４】図４は、隔膜クロルアルカリ電気分解ユニットを含む、本発明によるグリセロールからのエピクロロヒドリンの製造のスキームを示す。
【発明を実施するための形態】
【００３２】
図１に示すスキームは、従来技術によるプロピレンオキシド製造プラントは、固体の塩６、例えば塩化ナトリウムを水５中に溶解し、場合によっては再循環した塩１４を再び導入することによって得られるブラインが供給されるクロルアルカリユニット７、例えば隔膜又はメンブレンタイプの塩素−苛性ソーダセルを含むことを示す。クロルアルカリユニットの生成物は、塩素１、カソード液２（これは、隔膜の塩素−苛性ソーダセルの場合には指標として１５％のＮａＯＨ及び１５％のＮａＣｌを含み、メンブレンの塩素−苛性ソーダセルの場合には苛性ソーダの３２重量％水溶液を含む）、及び水素４から構成される。塩素１及びカソード液２は、場合によっては水５で希釈してプロピレンオキシドユニット１０に供給し、ここで上記記載の反応スキームにしたがってプロピレン９と反応させる。反応混合物は、分離ユニット１３に送ってプロピレンオキシド１１を引き抜き、この場合にはクロルアルカリユニットにおいて生成する塩素及び苛性ソーダの全量に対応して消耗したブライン１２を排出する。このスキームにおいては、２０〜２５％のＮａＣｌに加えて相当量の有機物質を含む消耗したブライン１２は、産業廃水に適用される環境基準に合致させるために外部処理に送られることが前提である。隔膜電気分解ユニットの場合には、カソード液２は、反応器１０に直接供給する代わりに蒸発器１７に送ることができ、これから再循環される固体の塩１４、水５で希釈した後に反応器１０に注入される濃ＮａＯＨ（１５）、及び凝縮物１６が引き抜かれる。この別法によって、ＮａＣｌがＮａＯＨと一緒に反応器１０中に導入されることを回避することができ、これは電気分解ユニットがプロピレンオキシド製造の要求量に対して大きすぎる場合に用いられる。この場合には、更なる濃苛性ソーダ１５及び塩素１は他の最終ユーザーに送る。
【００３３】
図２に示すスキームは、原材料としてグリセロールを用いるエピクロロヒドリン製造プラントに関する。このプラントは、水５中に溶解した投入される固体の塩６及び再循環された固体の塩１４が供給される隔膜又はメンブレンタイプのクロルアルカリ電気分解ユニット７を含む。クロルアルカリ電気分解ユニットの生成物は図１に示す場合と同じである。隔膜セルユニットの場合には、エピクロロヒドリン製造の要求量を超えるカソード液２の部分は蒸発−結晶化セクション１７に供給し、これから再循環する固体の塩１４、プラント外に排出する濃ＮａＯＨ（１５）、及び凝縮物１６を引き抜く。また、カソード液２の全部を蒸発−結晶化ユニット１７に供給することもできる。かかる場合においては、濃ＮａＯＨ（１５）の必要な部分を水５で希釈した後に鹸化器２３に送り、一方、鹸化の要求量を超える部分は排出する。かかる別法によって、塩化ナトリウムが苛性ソーダと一緒に鹸化器２３中に供給されることが回避される。
【００３４】
メンブレンセルユニットの場合には、エピクロロヒドリン製造の要求量を超えるカソード液２の部分は、濃縮セクション（図には示していない）に供給し、これからＮａＯＨを５０％の商業的な重量濃度で引き抜く。
【００３５】
蒸発−結晶化及び濃縮ユニットはまた、エピクロロヒドリン製造の要求量に対して電気分解ユニットが大きすぎる場合にも必要である。この場合には、更なる濃苛性ソーダ及び塩素は他の最終ユーザーに送る。
【００３６】
燃焼ユニット１８内で塩素及び水素を化合し、ここで次のユニット２０に送られる無水ＨＣｌ（２７）を生成させる。ここでは、気体状の塩酸をグリセロール１９と反応させることによってジクロロヒドリン２８が得られる。ジクロロヒドリンは鹸化器２３内でカソード液と反応させて、それからエピクロロヒドリン２１及び消耗したブライン１２（２０〜２５％のＮａＣｌに加えて関連量の有機物質を含む）を引き抜く。消耗したブライン１２は外部処理に送る。
【００３７】
図３に示すスキームは、下記において塩素−苛性ソーダユニットと呼ぶメンブレンタイプのクロルアルカリ電気分解ユニット７を含むプロピレンオキシドプラントに適用することができる本発明の一態様を示す。この場合には、プロピレンオキシド１１から分離される消耗したブライン１２は、通常は２，５００〜３，０００ｍｇ／Ｌの酸素のＣＯＤを含み、メンブレンの腐食及びアノードの機能不全の可能性を阻止しながら再循環させるためには、２０〜４０ｍｇ／Ｌの酸素の目標値まで処理しなければならない。この目的のために、消耗したブライン１２は蒸気ストリッピングユニット２９に供給する。この運転は、消耗したブラインを、好ましくは固体の塩が分離する段階に到達させることなくほぼ飽和状態まで濃縮するように行う。本発明者らは、蒸気ストリッピングを、特に塩酸の添加によってｐＨを約３〜４に調節して行うと、ＣＯＤを大きく低下させることができることを認めた。約２，５００〜３，０００ｍｇ／Ｌの酸素のＣＯＤを有する出口ブラインを用いてこの範囲内で運転することによって、約１，０００〜１，５００ｍｇ／Ｌの残留酸素を有する溶液を得ることができる。初期ＣＯＤと比べて残留ＣＯＤは、カソード液２中に注入する水５の量によって定まることが分かった。かかる水の量は、実際には、２９内における蒸気流速、及びしたがってストリッピング作用の効率性を決定する。場合によっては、更なる水をストリッピングユニット２９中に直接注入することができる。蒸気ストリッピング出口２９における溶液は、次に、この場合には減少させる有機物質に対して２〜４倍化学量論的に過剰量の１：２のモル比の塩素及び苛性ソーダが供給される予備酸化ユニット２４に供給する。予備酸化ユニット２４は、ｐＨ３．５〜５及び５０〜６０℃の温度において運転する。これらの条件においては、残留ＣＯＤを４００〜６００ｍｇ／Ｌの酸素の値に容易に低下させることができ、塩素酸塩及び塩素化副生成物の非常に減少した含量が同時に得られた。予備酸化ユニット２４から排出される溶液は、次に、この場合には、３〜４の範囲に調節されたｐＨ及び８０〜９５℃の温度の最適な運転条件において運転される、次亜塩素酸塩溶液を生成させるための非分割タイプの電気分解装置から構成される最終酸化ユニット２５に供給する。これらの条件においては、最終酸化ユニット２５から２０〜４０ｍｇ／Ｌの酸素の間で変化するＣＯＤを有する出口ブラインを得ることができ、これはメンブレン電気分解ユニットのメンブレン及びアノードの正常運転に適合する。
【００３８】
図４は、下記において塩素−苛性ソーダユニットと呼ぶ、フッ素化ポリマー繊維をベースとする非アスベスト隔膜を備えたタイプの１タイプのクロルアルカリ電気分解ユニット７を含むエピクロロヒドリン製造プラントに関する本発明の一態様を示す。この場合には、通常は高く、例えば１０，０００〜３０，０００ｍｇ／Ｌの酸素のＣＯＤ値を有することを特徴とする消耗したブライン１２は、第１処理工程としてストリッピングユニット２９に送る。本発明者らは、ストリッピング工程中において３〜４の範囲のｐＨを維持し、更なる水をストリッピングユニット２９中に直接注入することによって、出口溶液１４において４，０００ｍｇ／Ｌの酸素より低く、常に２，０００〜３，０００ｍｇ／Ｌの間の酸素を含む残留ＣＯＤ値を検出することができた。蒸気ストリッピングユニット２９の出口溶液は、次に、減少させる有機物質に対して２〜４倍化学量論的に過剰の１：１のモル比の塩素及び苛性ソーダが供給される予備酸化ユニット２４に送る。予備酸化ユニット２４は、ｐＨ３．５〜５及び５０〜６０℃の温度において運転する。これらの条件においては、残留ＣＯＤを８００〜１，０００ｍｇ／Ｌの酸素の値に容易に低下させることができ、塩素酸塩及び塩素化副生成物の非常に減少した含量が同時に得られた。予備酸化ユニット２４から排出される溶液は、必要な塩６及び水５を加えて、次に、この場合には隔膜タイプの塩素−苛性ソーダユニット７と同一の空間を占める最終酸化ユニットに供給する。隔膜セルユニットのアノード区画のｐＨを３〜４に、温度を９０〜９５℃に維持することによって、僅か２０〜４０ｍｇ／Ｌの酸素の残留ＣＯＤしか有しない苛性ソーダ２を出口において得ることができ、生産サイクル中に塩素化副生成物及び塩素酸塩の大きな蓄積はなかった。本発明者らは更に、サイクルから予備酸化ユニット２４を迂回し、隔膜タイプの塩素−苛性ソーダユニット７の内部で単一段階の酸化を行うと、出口における苛性ソーダのＣＯＤは５００〜１，０００ｍｇ／Ｌの酸素よりも決して低くはならず、更に塩素酸塩及び塩素化副生成物の漸進的な蓄積が起こることを認めた。
【００３９】
上記の記載は、本発明を限定するようには意図されず、これらはその範囲から逸脱することなく異なる態様にしたがって用いることができ、その範囲は専ら特許請求の範囲によって規定される。
【００４０】
本出願の明細書及び特許請求の範囲の全体にわたって、「含む」という用語、並びに「含み」、「包含する」のようなその変形は、他の構成要素、成分、又は更なるプロセス工程の存在を排除するように意図するものではない。
【００４１】
文献、作用、材料、装置、物品などの議論は、専ら本発明に関する文脈を与える目的のために本明細書中に含ませている。これは、これらの事項の全部が、従来技術の基礎を形成したか、或いは本出願のそれぞれの請求項の優先日より前の本発明に関連する分野における通常の一般知識であったことを示唆又は意味するものではない。
【図１】
2015520295.tif 000008
【図２】
2015520295.tif 000009
【図３】
2015520295.tif 000010
【図４】
2015520295.tif 000011
【手続補正書】
【提出日】平成26年2月27日(2014.2.27)
【手続補正１】
【補正対象書類名】特許請求の範囲
【補正対象項目名】全文
【補正方法】変更
【補正の内容】
【特許請求の範囲】
【請求項１】
新たなブラインが供給されるクロルアルカリ電気分解ユニットの生成物を用いて有機原材料を酸化することによってエポキシ化合物を合成するプラントにおける消耗したブラインから構成される廃棄流の有機物質含量を減少させる方法であって、次の：
（ａ）水流を、処理する消耗したブライン中に注入して蒸気ストリッピングを行い；
（ｂ）次亜塩素酸塩を用いてｐＨ３．５〜５及び５０〜６０℃の温度において予備酸化し；
（ｃ）次亜塩素酸塩の存在下において、ｐＨ３〜４及び８０〜９５℃の温度において最終酸化を行って新たなブラインを得る；
逐次工程を含む上記方法。
【請求項２】
消耗したブラインが、工程（ａ）の入口において１０，０００ｍｇ／Ｌの酸素より高く、工程（ａ）の出口において２，０００〜４，０００ｍｇ／Ｌの酸素のＣＯＤを有する、請求項１に記載の方法。
【請求項３】
蒸気ストリッピング工程を３〜４の間に調節したｐＨにおいて行う、請求項１又は２に記載の方法。
【請求項４】
消耗したブラインが、工程（ｂ）の出口において４００〜１，５００ｍｇ／Ｌの酸素のＣＯＤを有する、請求項１〜３のいずれかに記載の方法。
【請求項５】
工程（ｃ）の出口における新たなブラインが４０ｍｇ／Ｌの酸素以下のＣＯＤを有する、請求項１〜４のいずれかに記載の方法。
【請求項６】
有機原材料が、プロピレン、塩化アリル、及びグリセリンからなる群から選択され、エポキシ化合物がプロピレンオキシド又はエピクロロヒドリンである、請求項１〜５のいずれかに記載の方法。
【請求項７】
次亜塩素酸塩を用いる予備酸化工程を、塩素及びアルカリを供給することによって行う、請求項１〜６のいずれかに記載の方法。
【請求項８】
次亜塩素酸塩を用いる予備酸化工程を非分割タイプの電気分解セル内で行う、請求項１〜６のいずれかに記載の方法。
【請求項９】
最終酸化工程を電気分解セル内で行う、請求項１〜８のいずれかに記載の方法。
【請求項１０】
電気分解セルが非分割タイプのアルカリブライン電気分解セルである、請求項９に記載の方法。
【請求項１１】
最終酸化工程を、フッ素化ポリマー繊維を含む非アスベスト隔膜セパレーターを装備した電気分解セルから構成される、新たなブラインが供給されるクロルアルカリ電気分解ユニット内で直接行う、請求項９に記載の方法。
【請求項１２】
続いて、次の：
（ｄ）活性炭上に吸収させることによって塩素化副生成物の濃度を調節し；
（ｅ）酸性範囲に調節したｐＨにおいて亜硫酸塩を注入することによって塩素酸塩の濃度を調節する；
同時又は逐次工程の１以上を行う、請求項１〜１１のいずれかに記載の方法。
【請求項１３】
合成プラントの消耗したブラインの有機物質含量を減少させる手段を含み、かかる減少手段が、新たなブラインが供給されるクロルアルカリ電気分解ユニット、消耗したブラインの蒸気ストリッピングユニット、ｐＨ３．５〜５及び５０〜６０℃の温度において予備酸化を行うように適合されている次亜塩素酸塩を用いる予備酸化のユニットを含む、エポキシ化合物の合成プラント。
【請求項１４】
新たなブラインが供給されるクロルアルカリ電気分解ユニットが、フッ素化ポリマー繊維を含む非アスベスト隔膜セパレーターを装備した電気分解セルから構成される、請求項１３に記載のプラント。
【請求項１５】
塩素及び苛性ソーダが供給される反応器から構成される最終酸化ユニットを更に含み、新たなブラインが供給されるクロルアルカリ電気分解ユニットがメンブレンタイプの電気分解セルから構成される、請求項１３に記載のプラント。
【請求項１６】
予備酸化ユニットが非分割タイプの電気分解セルから構成される、請求項１３〜１５のいずれかに記載のプラント。
【国際調査報告】
2015520295.tif 000012
2015520295.tif 000013
2015520295.tif 000014